(57)【要約】【課題】親局と通信回線を介して接続される複数の子局において状態変化が生じても、先行して呼出される子局からの返信情報のみを授受することができる中央監視方法を提供する。【解決手段】親局２から送信許可信号が子局４に送信されると、子局４は子局毎にあらかじめ割当てられる異なる時間帯の割込み許可時間になるまで、先行して呼出される子局４からの割込み要求信号の有無を判断し、当該要求信号がない時に自局からの割込み要求信号の送信が可能に構成されている。この構成によれば、複数の子局４の設備に状態変化が生じても、子局４が呼出される毎に１個の割込み要求信号が発信されて返信情報が送信されるのみである。そのため、返信情報は正確に親局２に送信されるので、子局４の状態変化を十分に監視・管理する中央監視方法を提供することができる。【選択図】図１
2016019057.tif 000002
【特許請求の範囲】
【請求項１】
親局と通信回線を介して接続される複数の子局に特定の子局を呼出す送信許可信号を送信して順次特定の子局を呼出し、親局と特定の子局との間でデータの授受を行って特定の子局の状態変化を監視する中央監視方法であって、親局から送信許可信号が子局に送信されると、子局は子局毎にあらかじめ割当てられる異なる時間帯でなる割込み許可時間になるまでの間、先行して呼出される子局からの割込み要求信号の有無を判断し、当該要求信号がないときに自局からの割込み要求信号の送信を可能とするとともに、全子局の割込み許可時間経過後に自局の状態変化に対応する返信情報を送信することを特徴とする中央監視方法。
【請求項２】
親局と通信回線を介して接続される複数の子局を有し、親局は子局に特定の子局を呼出す送信許可信号を送信する親局送受信部を備え、子局は子局の状態変化に応じたデータを送信する子局送受信部を備え、親局からの送信許可信号により順次特定の子局を呼出し、親局と特定の子局との間でデータの授受を行って特定の子局の状態変化を監視する中央監視装置であって、
子局は、子局毎にあらかじめ割当てられる異なる時間帯でなる割込み許可時間になるまでの間、先行して呼出される子局から送信される割込み要求信号の有無を判断し、当該要求信号がないときに自局からの割込み要求信号の発信を可能とするとともに、全子局の割込み許可時間経過後に自局の状態変化に対応する返信情報を送信する子局制御部を有することを特徴とする中央監視装置。
【請求項３】
前記子局は、子局毎にあらかじめ割当てられる異なる時間帯でなる割込み許可時間になるまでの間、自局に急激な状態変化が生じた時、その割込み許可時間に割込み要求信号を送信する子局制御部を有することを特徴とする請求項２に記載の中央監視装置。
【請求項４】
前記子局のうち、緊急性の高い設備を持つ子局の割込み許可時間は緊急性に応じて当該子局を先行して呼出すように割当てられることを特徴とする請求項２または３に記載の中央監視装置。
【発明の詳細な説明】
【技術分野】
【０００１】
本発明は、一定の規模を超える範囲に分散配置された設備、特に建築物の建築設備のように各所に配置された空調設備、照明、火災報知器、スプリンクラー等の作動状態を集中的に監視・管理する中央監視方法および中央監視装置に関するものである。
【背景技術】
【０００２】
従来、一定の規模を超える範囲に分散配置された設備の作動状態を集中的に監視・管理する中央監視方法としては、特許文献１に記載の配電系統の状態監視方法が知られている。この状態監視方法は、図１１に示すように高圧トランス１１６に接続された配電系統に散在している複数の柱上開閉器１１５の作動状態をそれぞれ監視する子局１０４と、これら子局１０４に配電線１１０を介して接続されて子局１０４の状態変化を監視する親局１０２とを備えている。これら子局１０４と親局１０２との間の情報の授受は、それぞれに設けられた制御部１０２ａ，１０４ａおよび中継器１０２ｂ，１０４ｂを介してポーリング方式により行われている。すなわち、図１２に示すように親局１０２は所定ポーリング時間帯毎に子局１０４に順次呼出し指令信号を送って送信許可を与え、呼出された特定の子局１０４は柱上開閉器１１５の作動状態を子局アドレスとともに返信情報として親局１０２に送っている。これにより、親局１０２は散在している柱上開閉器１１５の作動状態を集中して監視することが可能となっている。この状態監視方法にあっては、特定の子局１０４を呼出してその柱上開閉器１１５の作動状態の情報を得るためのポーリング時間帯に子局１０４の呼出し指令信号を発生する呼出し指令発生時間帯と呼出された特定の子局１０４の状態を親局１０２に返信する返信時間帯とが設定されている。また、前記呼出し指令発生時間帯と返信時間帯との間には割込み許可時間帯が設定されており、親局１０２の指定から外れた子局１０４からの割込み要求信号を受信できる構成となっている。そのため、親局１０２の指定から外れた子局１０４で柱上開閉器１１５の入切変化のような急激な状態変化が発生した場合には、当該子局１０４は前述の割込み許可時間帯に割込み要求信号を送信することができる。これにより、親局１０２は特定の子局以外の子局１０４からの返信情報も適時受信可能となっている。
【０００３】
この状態監視方法によれば、親局１０２と特定の子局１０４との間で情報の授受を行うポーリング時間帯に親局１０２の指定から外れた子局１０４から柱上開閉器１１５の状態変化を示す割込み要求信号が発信されると、親局１０２は当該子局１０４からの返信情報を優先して受信し、特定の子局１０４では次回のポーリング時間帯まで返信を延期することができる。そのため、特定の子局１０４のみならず親局１０２の指定から外れた子局１０４からも適時に返信情報を得ることができ、これら子局１０４を監視・管理することが可能となっている。
【先行技術文献】
【特許文献】
【０００４】
【特許文献１】特公平８−１０８４４号公報
【発明の概要】
【発明が解決しようとする課題】
【０００５】
しかしながら、前述した状態監視方法では、複数の子局１０４で柱上開閉器１１５の作動状態に急激な状態変化が生じて、それぞれの子局１０４から割込み要求信号が送信されると、これら子局１０４からの返信が許可される。そのため、各子局１０４から状態変化を示す返信情報が返信されることとなり、これら返信情報が他の返信情報と衝突して親局１０２に正確に送信されず、子局１０４を十分に監視・管理できないという問題が生じている。
【０００６】
また、これら返信情報の衝突を防ぐために、親局１０２で子局１０４の返信タイミングを制御しなければならず、子局１０４の数が増大するとその制御が負担となるばかりか、子局１０４においても返信時の同期信号を他の子局１０４と異なるものとしなければならず、子局１０４が分散していればいるほどその管理が困難なものとなるという問題が生じている。
【０００７】
本発明の目的は、上記問題を解消して親局から指定される子局からその作動状態を示すデータを授受する際に、親局の指定から外れた複数の子局において急激な状態変化が発生しても、先行して呼出される子局からの割込み要求信号のみを受信して当該子局の返信情報のみを授受することができる中央監視方法および中央監視装置を提供することである。
【課題を解決するための手段】
【０００８】
本発明は、上記目的を達成するために、親局と通信回線を介して接続される複数の子局に特定の子局を呼出す送信許可信号を送信して順次特定の子局を呼出し、親局と特定の子局との間でデータの授受を行って特定の子局の状態変化を監視する中央監視方法であって、親局から送信許可信号が子局に送信されると、子局は子局毎にあらかじめ割当てられる異なる時間帯でなる割込み許可時間になるまでの間、先行して呼出される子局からの割込み要求信号の有無を判断し、当該要求信号がないときに自局からの割込み要求信号の送信を可能とするとともに、全子局の割込み許可時間経過後に自局の状態変化に対応する返信情報を送信することを特徴としている。この構成によれば、先行して呼出される子局の割込み許可時間に割込み要求信号が送信されないときには、各子局は割込み要求信号を自局の割込み許可時間に送信できるので、複数の子局で急激な状態変化が生じても、先行して呼出される子局、すなわちより早い時間帯の割込み時間を持つ子局の割込み要求信号のみが送信され、他の子局の通信処理は破棄される。そのため、親局から子局が呼出される毎に１個の割込み要求信号が送信されて返信情報が送信されるのみであるので、子局からの返信情報は正確に親局に送信される。しかも、通信処理が破棄された子局では、次回の子局呼出し時に、前述の処理が繰り返されるので、当該子局の急激な状態変化が取りこぼされることなく、割込み要求信号を送信することができる。これにより、特定の子局はもとより親局から呼出されていない子局の急激な状態変化を適時把握できるばかりか、これら子局を十分に監視・把握する中央監視方法を提供することができる。
【０００９】
また、本発明は親局と通信回線を介して接続される複数の子局を有し、親局は子局に特定の子局を呼出す送信許可信号を送信する親局送受信部を備え、子局は子局の状態変化に応じたデータを送信する子局送受信部を備え、親局からの送信許可信号により順次特定の子局を呼出し、親局と特定の子局との間でデータの授受を行って特定の子局の状態変化を監視する中央監視装置であって、子局は、子局毎にあらかじめ割当てられる異なる時間帯でなる割込み許可時間になるまでの間、先行して呼出される子局から送信される割込み要求信号の有無を判断し、当該要求信号がないときに自局からの割込み要求信号の送信を可能とするとともに、全子局の割込み許可時間経過後に自局の状態変化に対応する返信情報を送信する子局制御部を有することを特徴としている。この構成により、前述の効果に加え、ハードウエアを追加することなく、複数の子局での状態変化に対応できるばかりか、子局数が増大しても子局から送信される返信情報の衝突を防ぐために、親局制御部で子局の返信タイミングを制御する必要がなくなる。そのため、子局数が増大しても、親局制御部の負担は増大せず、また子局制御部においても返信時に同期周波数を異なるものにするような特別な構成にする必要がなく、管理の容易な中央監視装置を提供することができる。
【００１０】
さらに、本発明はあらかじめ割当てられる異なる時間帯でなる割込み許可時間になるまでの間、自局で急激な状態変化が生じた時に、割込み要求信号を送信できるようにするため、子局は子局毎にあらかじめ割当てられる異なる時間帯でなる割込み許可時間になるまでの間、その割込み許可時間に割込み要求信号を送信する子局制御部を有することが望ましい。
【００１１】
その上、本発明は緊急性の高い設備を持つ子局からの割込み要求信号を遅延なく受信できるようにするため、緊急性の高い設備を持つ子局の割込み許可時間を緊急性に応じて早期の時間帯に割当てることが望ましい。
【発明の効果】
【００１２】
以上説明した本発明によれば、親局から呼出される子局からデータを授受する際に、親局の指定から外れた複数の子局において急激な状態変化が発生しても、先行して呼出される子局からの割込み要求信号のみを受信して当該子局の返信情報のみを授受することができる中央監視方法および中央監視装置を提供することができる。
【図面の簡単な説明】
【００１３】
【図１】本発明の実施形態に係る中央監視方法の要部を説明するタイムチャート。
【図２】本発明の実施形態に係る中央監視装置の構成を示すブロック図。
【図３】本発明の実施形態に係る親局の構成を示すブロック図。
【図４】本発明の実施形態に係る親局の動作を説明するフローチャート。
【図５】本発明の実施形態に係る子局の構成を示すブロック図。
【図６】本発明の実施形態に係る子局の主動作を説明するフローチャート。
【図７】本発明の実施形態に係る子局の急激な状態変化があった時の動作を説明するフローチャート。
【図８】本発明の実施形態に係る特定の子局の動作を説明するフローチャート。
【図９】本発明の実施形態に係る親局、子局それぞれから送信されるデータの主なフレーム構造の概略説明図。
【図１０】本発明の実施形態に係る中央監視装置の主な動作を説明するタイムチャート。
【図１１】従来例に係る状態監視装置の概略説明図。
【図１２】従来例に係る状態監視装置の信号の授受を説明するタイムチャート。
【発明を実施するための形態】
【００１４】
以下、本発明の実施形態に係る中央監視装置の一例として、建築物の各階各所に配置される空調設備、照明、火災報知器、スプリンクラー等の設備の作動状態を監視・管理するための中央監視装置を図面に基づき説明する。この中央監視装置１は、図２に示すように親局２と通信回線３を介して接続される複数の子局（１，２，３，４，５，…Ｎ−１，Ｎ）４（以下、全子局を指示する時には「４」を付記し、個別の子局を指示する時には、これを省略する）を有している。前記通信回線３は、半二重方式の通信を行うもので、平常時は受信回線となり、親局２と子局（ｎ：任意の数）とからデータが送信される間、送信回線となる構造となっている。
【００１５】
前記親局２は、図３に示すように全子局４で得られる各種設備に係る監視データを収集して全子局４の状態変化を監視・管理する装置であり、親局制御部５と、全子局４を監視・管理するための各種の操作指令信号を親局制御部５に送る親局操作部６とを有している。また、前記親局２は全子局４から送信される監視データ等を記憶する親局記憶部７と、前記監視データを含む各種データを表示する親局表示部８とを有している。前記親局表示部８は、平常時は子局（ｎ）毎にその送信許可状態（ＰＯ状態）と割込状態とを表示する表示画面８ａを有しており、各種データの呼出し、設定等の作業に必要な任意の画面に切替えることができる構成となっている。
【００１６】
前記親局制御部５は、親局通信制御部５ａと平常時受信状態にある親局送受信部５ｂとを備えており、前記親局送受信部５ｂは親局通信制御部５ａから特定の子局（ｎ）を呼出す送信許可信号を含む各種の指令信号を受けると、これら指令信号を全子局４に送信するように構成されている。また、親局制御部５は親局通信制御部５ａのタイマ５ａａの設定時間（ポーリング時間Ｔｐ）を設定可能に構成されている。
【００１７】
前記親局通信制御部５ａは、送信許可信号を全子局４に送信して順次特定の子局（ｎ）を呼出して親局２と呼出された特定の子局（ｎ）との間でデータの授受を行うポーリング方式の通信制御を行うように構成されている。この親局通信制御部５ａは、親局操作部６からの操作により親局制御部５から発信されるポーリング開始指令信号を受けると、図４に示す以下の処理を行う。
Ｓ１）子局アドレスｎをセット（ｎ＝１）。
Ｓ２）子局アドレスｎを持つ送信許可信号を作成する。
Ｓ３）後記する子局送受信部に送信許可信号発信指令信号を出力する。
Ｓ４）タイマ（所定ポーリング時間Ｔｐ）の時間計測を開始する。
Ｓ５）親局送受信部がデータを受信しているか否かを判断し、親局送受信部がデータを受信している時、ステップＳ１０にジャンプする一方、親局送受信部がデータを受信していない時、ステップＳ６に移る。
Ｓ６）ステップＳ４で受信待ちの状態に入ってから、タイマ設定時間（所定ポーリング時間Ｔｐ）が経過したか否かを判定し、タイマ設定時間が経過していない時、ステップＳ５に戻る一方、タイマ設定時間が経過した時、ステップＳ７に移る。
Ｓ７）タイマをリセットする。
Ｓ８）子局アドレスｎが設定子局数Ｎと等しいか否か（すなわち、全子局の受信待ち時間が経過したか否か）を判断し、これが等しい時、ステップＳ１に戻る。等しくない時は、ステップＳ９に移る。
Ｓ９）子局アドレスを変更（ｎ＝ｎ＋１）して、ステップ２に戻る。
Ｓ１０）上記ステップＳ５からのジャンプにより、受信データに応じた信号処理を行う。
Ｓ１１）タイマ設定時間が経過するのを待つ。
Ｓ１２）タイマをリセットする。
Ｓ１３）送信許可先子局アドレスが受信データの返信元子局アドレスと等しいか否かを判断し、これらが等しい時、ステップＳ８に戻る一方、これらが等しくない時、ステップＳ２に戻る。
【００１８】
前記子局（ｎ）は、各種設備（空調設備、照明器具、火災報知器、スプリンクラー等）の作動状態に応じた監視データを収集してこれらを親局２に送信する装置である。この子局（ｎ）は、図５に示すように子局制御部９と、子局（ｎ）の設備の作動状態に応じた監視データ、すなわち子局（ｎ）の状態変化に応じたデータを得るための各種操作指令信号を子局制御部９に送る子局操作部１０とを有している。また、前記子局（ｎ）は設備の監視データ、子局送受信部９ｂが受信する受信データ等を記憶する子局記憶部１２と、前記監視データおよび受信データを含む各種データを表示する子局表示部１３と、前記設備の一例の温度センサ１４ａ、火災報知器１４ｂおよびスプリンクラー１４ｃが接続される子局入出力部１４とを有している。
【００１９】
前記子局表示部１３は、平常時は自局が送信許可状態（ＰＯ状態）であるか否かの表示、割込み状態か否かの表示の他に、子局入出力部１４の入力情報を表示するように構成されている。また、この子局表示部１３は各種データの呼出し、設定等に必要な任意の画面を表示できる構成となっている。
【００２０】
前記子局制御部９は子局通信制御部９ａと平常時受信状態にある子局送受信部９ｂとを有し、子局送受信部９ｂは子局通信制御部９ａからの送信指令信号により割込み要求信号、監視データを含む返信情報等各種データを親局２に送信し、その後は受信状態となるように構成されている。また、前記子局制御部９は子局通信制御部９ａの第１タイマ９ａａの設定時間（全子局４の総割込み許可時間Ｔ０）および第２タイマ９ａｂの設定時間（自局割込み許可時間）を設定可能に構成されている。前記第２タイマ９ａｂの設定時間、すなわち自局割込み許可時間の設定にあっては、図１に示すようにあらかじめ設定された異なる時間帯の割込み許可時間（Ｔ１−１，Ｔ１−２，…Ｔ１−（Ｎ−１），Ｔ１−Ｎ）の中から自局にユニークな割込み許可時間が割当てられ、この割込み許可時間が得られるように第２タイマ９ａｂの設定時間が設定されている。すなわち、子局（１）では第２タイマ９ａｂの設定時間はＴ１−１、割込み待ち時間は「０」で、子局（２）では先行して呼出される子局（１）の割込み許可時間Ｔ１−１に相当する割込み待ち時間の経過後に、子局（３）では先行して呼出される子局（１）および子局（２）の割込み許可時間の総和（Ｔ１−１）＋（Ｔ１−２）（以後の子局（ｎ）も同様に、先行して呼出された割込み許可時間の総和として算出）に相当する割込み待ち時間の経過後にそれぞれ各子局（ｎ）の設定時間（割込み許可時間）が開始されるようになっている。この割込み許可時間の選択にあたって、緊急性の高い設備を持つ子局（ｎ）の割込み許可時間をその緊急性に応じて早期の時間帯に割当てることができる。この場合、複数の子局（ｎ）で緊急性の高い状態変化が生じても、緊急性の高い設備を持つ子局（ｎ）からの割込み要求信号が優先されるので、遅延なく親局２に送信される。さらに、前記子局制御部は自局に割当てられる割込み許可時間に限って割込み要求信号を送信可能に構成され、前述の割込み時間の割当てと相まって、複数の子局（ｎ）から同時に割込み要求信号が送信されないように構成されている。
【００２１】
前記子局通信制御部９ａは、本発明の中央監視方法の要部を構成するもので、子局操作部１０からの操作により子局制御部から状態監視指令信号を受けると、図６ないし図８に示す次の処理を行う。
ＳＴ１）割込・返信指示フラグを「ＯＦＦ」にセットする。
ＳＴ２）子局入出力部に割込み要求の必要な入力情報があるか否かを判断し、この入力情報がない時、ステップＳＴ４にジャンプする一方、当該入力情報がある時には、ステップＳＴ３に移る。
ＳＴ３）割込・返信指示フラグを「ＯＮ」にセットして、ステップ４に移る。
ＳＴ４）子局送受信部がデータを受信したか否かを判断し、データが受信されてない時、ステップＳＴ２に戻る一方、データが受信された時は、ステップＳＴ５に移る。この受信データは、子局の状態変化に関するデータを含む。
ＳＴ５）受信データを一時記憶する。
ＳＴ６）受信データが送信許可信号であるか否かを判断し、これが送信許可信号でない時、ステップＳＴ９にジャンプする一方、受信データが送信許可信号である時、ステップＳＴ７に移る。
ＳＴ７）割込・返信指示フラグが「ＯＮ」であるか否かを判断し、これが「ＯＮ」の時、ステップＳＴ１０にジャンプする一方で、割込・返信指示フラグが「ＯＮ」でない時、ステップＳＴ８に移る。
ＳＴ８）受信データに含まれる子局アドレスが自局アドレスに等しいか否かを判断し、これらが等しい時、ステップＳＴ１９にジャンプする一方で、これらが等しくない時、ステップＳＴ９に移る。
ＳＴ９）一時記憶された受信データをリセットして、ステップＳＴ２に戻る。
ＳＴ１０）上記ステップＳＴ７からのジャンプにより、子局入出力部の入力情報を読込み、一時記憶する。
ＳＴ１１）第２タイマ（自局割込み許可時間）を起動し、時間計測を開始する。
ＳＴ１２）子局送受信部がデータを受信したか否かを判断し、子局送受信部がデータを受信している時、ステップＳＴ１８にジャンプする一方、子局送受信部がデータを受信していない時、ステップＳＴ１３に移る。
ＳＴ１３）第２タイマの設定時間が経過したか否かを判断し、この設定時間が経過してない時、ステップＳＴ１２に戻る一方、第２タイマの設定時間が経過している時、ステップＳＴ１４に移る。
ＳＴ１４）一時記憶された子局入出力部の入力情報から緊急情報を呼出す。
ＳＴ１５）自局アドレスと緊急情報とから返信情報を作成する。
ＳＴ１６）子局送受信部に返信情報の送信指令信号を送る。
ＳＴ１７）子局表示部に緊急情報送信完了表示指令信号を出力する。
ＳＴ１８）第２タイマ、一時記憶された入力情報をリセットして、ステップＳＴ９に戻る。
ＳＴ１９）上記ステップＳＴ８からのジャンプにより、子局入出力部の入力情報を読込み、一時記憶する。
ＳＴ２０）第１タイマ９ａａ（全子局の総割込み許可時間Ｔ０）を起動し、時間計測を開始する。
ＳＴ２１）子局送受信部がデータを受信したか否かを判断し、子局送受信部がデータを受信している時、ステップＳＴ２８にジャンプする一方、子局送受信部がデータを受信してない時、ステップＳＴ２２に移る。
ＳＴ２２）第１タイマ９ａａの設定時間Ｔ０が経過したか否かを判断し、この設定時間Ｔ０が経過してない時、ステップＳＴ２１に戻る一方、第１タイマの設定時間が経過した時、ステップ２３に移る。
ＳＴ２３）一時記憶された子局入出力部の入力情報から通常情報を呼出す。
ＳＴ２４）自局アドレスと通常情報とから返信情報を作成する。
ＳＴ２５）子局送受信部に返信情報の送信指令信号を送る。
ＳＴ２６）子局表示部に通常情報送信完了表示指令信号を出力する。
ＳＴ２７）割込・返信指令フラグを「ＯＦＦ」にセットする。
ＳＴ２８）第１タイマ９ａａ、一時記憶された入力情報をリセットして、ステップＳＴ９に戻る。
【００２２】
なお、図示はしないが、前記ステップＳＴ１９で子局入出力部１４の入力情報を読込む時に、入力情報に緊急情報が含まれているか否かを判断して、緊急情報が含まれている時には、第１タイマ９ａａの設定時間Ｔ０が経過して後に、通常情報に代え緊急情報を含む返信情報を作成することもできる。
【００２３】
前記親局通信制御部５ａおよび子局通信制御部９ａで作成される各種データはそれぞれ、図９（Ａ）、図９（Ｂ）に示すように子局アドレスと指令情報、または返信情報を持つフレーム構造の、二値化された信号となっており、情報の送信エラーに対応可能となっている。
【００２４】
上記中央監視装置では、親局制御部５からポーリング開始指令信号が出力される。
（親局でのポーリング動作）
【００２５】
これにともない、親局通信制御部５ａで最初に呼出される特定の子局（１）の子局アドレスがセットされ、この子局アドレスを持つ送信許可信号が作成される。この送信許可信号は、送信許可信号発信指令信号とともに親局送受信部５ｂに送られ、図１０に示すように親局送受信部５ｂから全子局４に送信される。その後、所定タイマ設定時間、すなわち所定ポーリング時間Ｔｐが経過すると、子局（２）を含む全子局４に送信許可信号が送信される。この動作は、順次子局（Ｎ）まで行われ、これが繰り返される。
【００２６】
この動作を詳細に説明すると、親局２から全子局４に送信許可信号が送信された後、親局送受信部５ｂがデータを受信したか否かが判断される。この受信データ有無判断に際して、親局送受信部５ｂがデータを受信しない時には、所定ポーリング時間Ｔｐが経過しているか否かが判断される。このポーリング時間経過判断に際して、所定ポーリング時間Ｔｐが経過していない時には、前記受信データ有無判断を繰り返し、また所定ポーリング時間Ｔｐが経過している時には、タイマ５ａａをリセットして、全子局４の呼出しが完了しているか否かが判断される。この全子局呼出し判断の際に、全子局４の呼出しが完了してない時には、次の子局（２）が呼出され、同様に順次子局（Ｎ）まで呼出される。この時、親局表示部８に当該子局（ｎ）のエラー表示をしたり、当該子局（ｎ）にエラー修正指示信号を送信するようにしたりしてもよい。また、前記全子局呼出し判断の際に、全子局４の呼出しが完了している時には、最初の子局（１）に戻って、前述の監視が繰り返される。この場合、最初の子局（１）に戻る代わりに、戻り先の子局（ｎ）が順次変更されるようにしてもよく、また特定の子局（ｍ：１以外のＮより小さな数）となるようにしてもよい。これにより、故障中とみられる子局（図示せず）や、頻繁に急激な状態変化が生じる子局（図示せず）があっても、これら子局の呼出し順序を変えて、他の子局（ｎ）の状態変化を監視することができる。
【００２７】
前記受信データ有無判断に際して、親局送受信部５ｂが子局（ｎ）からのデータを受信する時には、この受信データの内容に応じた受信処理が行われる。すなわち、受信データが呼出された特定の子局（ｎ）からの通常情報である時には、呼出された子局毎にこの通常情報が親局記憶部７に記憶される。また、受信データが緊急情報である時には、受信データの発信元の子局（ｎ）と緊急情報とが記憶され、さらに親局表示部８で発信元の子局（ｎ）および緊急情報の内容が表示される。この表示は、当該子局（ｎ）からの指示内容処理完了信号を受けるまで維持される。
【００２８】
前記受信データの処理後、タイマ時間、すなわち所定ポーリング時間Ｔｐが経過すると、タイマがリセットされ、受信データの発信元の子局（ｎ）が送信許可先子局であるか否かが判断される。この受信データの発信元判断に際して、この発信元が呼出された特定の子局（ｎ）である時には、前述の全子局呼出し判断が繰り返される。
【００２９】
前記受信データの発信元判断に際して、受信データの発信元が特定の子局（ｎ）でない時には、同一の子局（ｎ）が再度呼出されて、前述の動作が繰り返される（図１０中、子局（２）に対する送信許可信号参照）。
（全子局４の受信データ処理）
【００３０】
前記子局（１，２，…Ｎ）側にあっては、子局操作部１０の操作により子局制御部から状態監視指令信号が発信されると、割込・返信指示フラグに「ＯＦＦ」がセットされ、子局入出力部１４に割込み要求の必要な情報が入力しているか否かが判断される。この入力情報判断の際に、子局（ｎ）の急激な状態変化があって割込み要求が必要な入力情報、すなわち緊急情報がある時には、前記割込・返信指示フラグに「ＯＮ」がセットされる。また、前記入力情報判断に際して割込み要求の必要な入力情報がない時には、割込・返信指示フラグを変更することなく子局送受信部９ｂがデータを受信するのを待つ。
【００３１】
前記子局送受信部９ｂがデータを受信すると、これを一時記憶し、この受信データが親局２からの送信許可信号か否かが判断される。この送信許可信号判断の際に、受信データが送信許可信号でない時には、不明なデータとみなして通信処理が破棄され、一時記憶された受信データがリセットされる。その後、前記入力情報判断が繰り返される。
【００３２】
前記送信許可信号判断の際に、受信データが送信許可信号である時には、割込・返信指示フラグの状態が「ＯＮ」であるか否か、すなわち入力情報に設備の急激な状態変化を示す緊急情報があるか否かが判断される。
【００３３】
前記緊急情報有無判断に際して、入力情報に緊急情報がある時には、再度子局入力部１４の入力情報が読込まれて一時記憶され、その後子局送受信部９ｂがデータを受信したか否かが判断される。この受信データ有無判断に際して、子局送受信部９ｂがデータを受信してない時、第２タイマ設定時間、すなわち自局に割当てられた時間帯の割込み許可時間Ｔ１−１になるまで、子局送受信部９ｂがデータを受信するのを待つ。すなわち、図１に示すように子局（１）ではただちに割込み許可時間Ｔ１−１になるので、ただちに割込み要求信号を送信するが、子局（２）では割込み許可時間Ｔ１−２、子局（３）では割込み許可時間Ｔ１−３等に達するまで子局送受信部９ｂがデータを受信するのを待つ。
【００３４】
前記受信データ有無判断に際して、子局送受信部９ｂが自局の割込み許可時間になるまでにデータを受信すると、この受信データが先行して呼出された子局（ｎ）からの割込み信号とみなされ、第２タイマ９ａｂおよび一時記憶された入力情報がリセットされて、通信処理が破棄される（図１０中、破線部の子局（２）参照）。続いて、一時記憶された受信データがリセットされ、前述の入力情報判断が繰り返される。これにより、複数の子局（ｎ）の設備に急激な状態変化が生じて割込み要求信号を送信する事態になっても、先行して呼出された子局（ｎ）から割込み要求信号が送信されていれば、通信処理が破棄され、割込み返信作業が中止される。そのため、割込み要求信号を送信した子局（ｎ）の後に呼出される子局（ｎ）から割込み要求信号が送信されることがない。これにより、複数の子局（ｎ）で急激な状態変化が生じた場合であっても、子局（ｎ）が呼出される毎に１個の割込み要求信号が送信されるだけとなり、送信中に返信情報が他の返信情報と衝突するようなことがなく、返信情報を正確に親局２に送信することができる。しかも、急激な状態変化があって通信処理が破棄された子局の割込み要求信号は、次回の子局呼出し時に前述の処理が繰り返されることにより送信されるので、取りこぼされることなく親局で受信される。従って、前記返信情報の衝突を防ぐために、親局２で全子局４の返信タイミングを制御する必要がなく、子局（ｎ）の数が増大しても、親局２の制御が負担となることがないばかりか、子局（ｎ）においても返信時に同期周波数を異なるものにするような特別な構成の返信情報とする必要がないので、管理の容易な中央監視装置１を提供することができる。
【００３５】
また、前記自局の割込み許可時間になっても子局送受信部９ｂがデータを受信しない時には、先行して呼出された子局（ｎ）から割込み要求信号が送信されてないとみなし、一時記憶された入力情報から緊急情報が呼出される。この緊急情報と自局アドレスとから返信情報が作成され、これが送信指令信号とともに子局送受信部９ｂに送られ、子局送受信部９ｂから返信情報として親局２に送信される。同時に、子局表示部１３に緊急情報送信完了表示指令信号が送られ、子局表示部１３で緊急情報送信完了が表示される。その後、第２タイマ９ａｂおよび一時記憶された入力情報がリセットされ、緊急情報送信動作が完了し、前述の入力情報判断が繰り返される。これにより、先行して呼出された子局（ｎ）から割込み要求信号が送信されてない時には直ちに緊急情報として返信情報を親局２に送ることができ、子局（ｎ）からの返信情報は正確に親局２に送信される。そのため、親局２から呼出された特定の子局（ｎ）はもとより親局２から呼出されていない子局（ｎ）の急激な状態変化を適時把握でき、全子局４を十分に監視・把握することができる。また、割込み要求信号の発生頻繁が少ない場合には、所定ポーリング時間Ｔｐ内に割込み返信処理が可能で、最適な管理が可能でき、しかもこの発生頻度を子局毎に管理することにより、発生頻度の高い子局に異常状態を知らせることもできる。
【００３６】
前記緊急情報有無判断の際に、入力情報に緊急情報がない時には、受信データの子局アドレスから自局に送信された受信データであるか否かが判断される。この受信データの送信先判断の際に、受信データが自局に発信された受信データでない時には、送信許可信号が自局向けでないとみなし、前述した受信データが送信許可信号でない場合と同様に通信処理が破棄され、前述の入力情報判断が繰り返される。
（特定の子局（ｎ）の受信データ処理）
【００３７】
前記緊急情報有無判断の際に入力情報に緊急情報がないときの受信データの送信先判断に際して、受信データが自局に送信された受信データである時には、自局が親局２から呼出される特定の子局（ｎ）となる。この特定の子局（ｎ）では、再度子局入力部の入力情報が読込まれ、一時記憶される。その後、第１タイマ設定時間、すなわち最終の子局に割当てられた割込み許可時間、言い換えれば総割込み許可時間Ｔ０が経過するまで、子局送受信部９ｂがデータを受信するのを待つ。前記総割込み許可時間Ｔ０が経過するまでに子局送受信部９ｂがデータを受信すると、いずれかの子局（ｎ）から割込み要求信号が送信されたとみなし、前記総割込み許可時間Ｔ０が経過した後に通信処理が破棄され、通常情報を含む返信情報の送信動作が中止される。その後、一時記憶された受信データがリセットされ、前記入力情報判断が繰り返される。
【００３８】
また、前記受信データ有無判断に際して、総割込み許可時間Ｔ０が経過しても、子局送受信部９ｂがデータを受信しない時には、全子局４で割込み要求信号が送信されなかったとみなされ、一時記憶された入力情報から通常情報が呼出される。この通常情報と自局アドレスとから返信情報が作成され、この返信情報とともに送信指令信号が子局送受信部９ｂに送られる。これにより、子局送受信部９ｂから通常情報を持つ返信情報が親局２に送信され、緊急情報の場合と同様の処理がなされて、通常情報送信動作が終了する。
【００３９】
なお、本発明の実施形態について説明したが、通信時の信頼性を向上させるため、親局２および子局（ｎ）から送信されるデータにＡＣＫ信号を加えてもよい。また、各部の具体的な構成は、上述した実施形態のみに限定されるものではなく、本発明の趣旨を逸脱しない範囲で種々変形が可能である。
【符号の説明】
【００４０】
１…中央監視装置    
２…親局
４…子局    
【図１】
2016019057.tif 000003
【図２】
2016019057.tif 000004
【図３】
2016019057.tif 000005
【図４】
2016019057.tif 000006
【図５】
2016019057.tif 000007
【図６】
2016019057.tif 000008
【図７】
2016019057.tif 000009
【図８】
2016019057.tif 000010
【図９】
2016019057.tif 000011
【図１０】
2016019057.tif 000012
【図１１】
2016019057.tif 000013
【図１２】
2016019057.tif 000014